(57)【要約】【課題】水貯留容器内の水に浸漬した水塗布部材の上端部側に水を迅速に補給する。【解決手段】所定の接着位置に再湿糊部８が予め貼着された用紙１を搬送する途中で、再湿糊部８に水６０を塗布する水塗布装置５５において、水６０を貯留した水貯留容器５９と、水貯留容器５９内の水６０に浸漬した下端部６１ｂ側で該水６０を吸い上げ、且つ、下端部６１ｂ側からの水６０が伝達されて水面から露出した上端部６１ａ側の上端面を用紙搬送途中の再湿糊部８に接触させて水６０を塗布する水塗布部材６１と、水貯留容器５９内で水塗布部材６１の用紙幅方向に沿った面と対向する縦板部７１ａの下端側が水塗布部材６１の下端部６１ｂ側に接近して回動可能に支持され、且つ、水面から露出した縦板部７１ａの上端側を屈曲させて水塗布部材６１の上端面と対向できる横板部７１ｃを形成した水補給板７１と、水補給板７１を回動させる水補給板回動手段７３と、を備えた。【選択図】図１０
2018030658.tif 000002
【特許請求の範囲】
【請求項１】
所定の接着位置に再湿糊部が予め貼着された用紙を搬送する途中で、前記再湿糊部に水を塗布する水塗布装置において、
前記水を貯留した水貯留容器と、
前記用紙の搬送方向と直交する用紙幅方向に沿って前記水貯留容器内に設けられており、前記水に浸漬した下端部側で該水を吸い上げ、且つ、前記下端部側からの前記水が伝達されて水面から露出した上端部側の上端面を用紙搬送途中の前記再湿糊部に接触させて該水を塗布する水塗布部材と、
前記水貯留容器内で前記水塗布部材の用紙幅方向に沿った面と対向する縦板部の下端側が該水塗布部材の下端部側に接近して回動可能に支持され、且つ、前記水面から露出した前記縦板部の上端側を屈曲させて前記水塗布部材の上端面と対向できる横板部を形成した水補給板と、
前記水補給板の横板部が前記水塗布部材の上端面に対向しないように離間させた状態で該水塗布部材の下端部側と該水補給板の縦板部側との間に前記水を保持する第１の位置と、前記水補給板の横板部を前記水塗布部材の上端面に対向させて該上端面を覆って該水塗布部材の下端部側と該水補給板の縦板部側との間に保持した前記水を該上端面に補給する第２の位置との間で該水補給板を回動させる水補給板回動手段と、
を備えたことを特徴とする水塗布装置。
【請求項２】
前記水補給板は、前記水塗布部材の下端部側と対向する前記縦板部の下方部位に水逆流防止弁を取り付け、且つ、前記縦板部と前記横板部とが交差する内側コーナー部位に水流方向転換用凹部を設けたことを特徴とする請求項１に記載の水塗布装置。
【請求項３】
前記水補給板の前記縦板部に複数の整流板が用紙幅方向に間隔を隔てて上下方向に沿って所定の高さを有して取り付けられており、前記水補給板が前記第２の位置に至ったときに各整流板が前記水塗布部材の用紙幅方向の面に前記所定の高さを有して当接することを特徴とする請求項１又は請求項２に記載の水塗布装置。
【請求項４】
前記水補給板の横板部の下面に前記水塗布部材の上端面を清掃するワイパーを取り付けたことを特徴とする請求項１〜請求項３のうちいずれか１項に記載の水塗布装置。
【発明の詳細な説明】
【技術分野】
【０００１】
本発明は、用紙の再湿糊部に水貯留容器内に貯留した水を水塗布部材により塗布して用紙を封緘できる水塗布装置に関する。
【背景技術】
【０００２】
本出願人は、先に、封筒用紙や封筒などの用紙上の所定の接着位置にアラビア糊などの接着材料を用いて再湿糊部を予め貼着し、この再湿糊部に水塗布部材により水を塗布して用紙を封緘する封緘装置を提案している（例えば、特許文献１参照）。
【０００３】
特許文献１に開示された従来例の封緘装置では、ここでの図示を省略するが、用紙上の所定の接着位置に予め貼着された再湿糊部に水を塗布する水塗布手段は、水貯留容器に貯留した水内に水塗布部材の一例となる水塗布パッドの下端部側を浸漬させ、且つ、水内から露出した水塗布パッドの上端部側を再湿糊部への水塗布側に設定している。
【０００４】
そして、水塗布パッドの下端部側から上端部側に吸い上げられた水を搬送途中の用紙上の所定の接着位置に予め貼着された再湿糊部に塗布している。
【０００５】
この際、従来例の封緘装置において、用紙を水塗布パッドに向けて搬送するための用紙搬送ガイド部材に水が付着することを防止できるように改善が図られている。
【先行技術文献】
【特許文献】
【０００６】
【特許文献１】特開２０１４−３１２６７号公報
【発明の概要】
【発明が解決しようとする課題】
【０００７】
ところで、上記した特許文献１に開示された従来例の封緘装置において、用紙上の所定の接着位置に予め貼着された再湿糊部に水を塗布するために、前述したように、水貯留容器内に貯留した水を含浸させる水塗布パッドが用いられているが、封緘装置を長期間使用しない場合、水塗布パッドは水を含んだまま長期間放置される。
【０００８】
この際、水塗布パッドが水を含んだまま長期間放置されると、この水塗布パッドの表面から水分が蒸発し、これに伴って水に溶けていたミネラル分が析出する。そして、水塗布パッドを長期間放置した後に水塗布動作を再開すると、水から析出したミネラル分により水貯留容器内の水が水塗布パッドに吸い上げられにくくなるために、水付け不足による封緘不良が発生することがある。
【０００９】
また、水塗布パッドが水を含んだまま長期間放置されると、水塗布パッドの表面に付着した紙粉や再転写した再湿糊を栄養源として雑菌が繁殖し、これに伴って粘性の強いどろどろしたスラリー（懸濁体）が発生することがある。
【００１０】
そして、水塗布パッドの表面や内部でスラリーが生成されると、水塗布パッドの空隙をゲル状のスラリーが埋めることで、水塗布再開時に水貯留容器内の水が水塗布パッドに吸い上げられにくくなるために、この場合も水付け不足による封緘不良が発生することがある。
【００１１】
上記のように、封緘装置を長期間に亘って使用しない場合に、ユーザは水貯留容器内から水を抜いて、水塗布パッドを乾燥させておくことで、水質などの劣化防止や水塗布パッドへの付着物防止を図っている。
【００１２】
この後、封緘装置を再使用する時には、水貯留容器内に水を入れてから乾燥した水塗布パッドの上端部側に水が湿潤されるまで待機する必要があり、水塗布パッドにより再湿糊部に水を塗布開始するまでに時間がかかり問題となっている。
【００１３】
そこで、本発明は、用紙の再湿糊部に水貯留容器内に貯留した水を水塗布部材により塗布する際に、水塗布部材の上端側に水貯留容器内の水を迅速に補給して湿らすことができ、且つ、水塗布部材の上端側をクリーニングできる水塗布装置を提供することを目的とする。
【課題を解決するための手段】
【００１４】
本発明は上記課題に鑑みてなされたものであり、第１の発明は、所定の接着位置に再湿糊部が予め貼着された用紙を搬送する途中で、前記再湿糊部に水を塗布する水塗布装置において、
前記水を貯留した水貯留容器と、
前記用紙の搬送方向と直交する用紙幅方向に沿って前記水貯留容器内に設けられており、前記水に浸漬した下端部側で該水を吸い上げ、且つ、前記下端部側からの前記水が伝達されて水面から露出した上端部側の上端面を用紙搬送途中の前記再湿糊部に接触させて該水を塗布する水塗布部材と、
前記水貯留容器内で前記水塗布部材の用紙幅方向に沿った面と対向する縦板部の下端側が該水塗布部材の下端部側に接近して回動可能に支持され、且つ、前記水面から露出した前記縦板部の上端側を屈曲させて前記水塗布部材の上端面と対向できる横板部を形成した水補給板と、
前記水補給板の横板部が前記水塗布部材の上端面に対向しないように離間させた状態で該水塗布部材の下端部側と該水補給板の縦板部側との間に前記水を保持する第１の位置と、前記水補給板の横板部を前記水塗布部材の上端面に対向させて該上端面を覆って該水塗布部材の下端部側と該水補給板の縦板部側との間に保持した前記水を該上端面に補給する第２の位置との間で該水補給板を回動させる水補給板回動手段と、
を備えたことを特徴とする水塗布装置である。
【００１５】
また、第２の発明は、上記した第１の発明の水塗布装置において、
前記水補給板は、前記水塗布部材の下端部側と対向する前記縦板部の下方部位に水逆流防止弁を取り付け、且つ、前記縦板部と前記横板部とが交差する内側コーナー部位に水流方向転換用凹部を設けたことを特徴とする水塗布装置である。
【００１６】
また、第３の発明は、上記した第１又は第２の発明の水塗布装置において、
前記水補給板の前記縦板部に複数の整流板が用紙幅方向に間隔を隔てて上下方向に沿って所定の高さを有して取り付けられており、前記水補給板が前記第２の位置に至ったときに各整流板が前記水塗布部材の用紙幅方向の面に前記所定の高さを有して当接することを特徴とする水塗布装置である。
【００１７】
また、第４の発明は、上記した第１〜第３のいずれかの発明の水塗布装置において、
前記水補給板の横板部の下面に前記水塗布部材の上端面を清掃するワイパーを取り付けたことを特徴とする水塗布装置である。
【発明の効果】
【００１８】
第１の発明の水塗布装置によると、水を貯留した水貯留容器と、水貯留容器内の水に浸漬させた水塗布部材と、水塗布部材の用紙幅方向の面と対向して回動可能に支持され且つ水塗布部材の上端部側の上端面に水を補給する水補給板と、水補給板を水補給待機位置となる第１の位置と水補給位置となる第２の位置との間で回動させる水補給板回動手段と、を備えている。これにより、例えば、水塗布装置を長期間に亘って使用しない場合に、ユーザは水貯留容器内の水を抜いて水塗布部材を乾燥させているが、この水塗布部材の乾燥状態から水塗布動作を迅速に再開させる際に、水補給板により乾燥した水塗布部材の上端部側の上端面に水を毛細管現象で吸い上げるよりも迅速に補給できる。従って、乾燥した水塗布パッドを用いて水塗布動作を再開する場合でも、封筒用紙の再湿糊部に水を迅速に塗布することができる。
【００１９】
また、第２の発明の水塗布装置によると、水補給板の縦板部の下方部位に取り付けた水逆流防止弁は、水貯留容器内で水塗布部材と水補給板の縦板部との間に挟まれて保持された水が縦板部の下方に向かって流下するのを防止できる。また、水補給板の縦板部と横板部とが交差する内側コーナー部位に設けた水流方向転換用凹部は、水塗布部材の上端部側の上端面への水補給時に水補給板の縦板部に沿って上昇した水の向きを横板部側に向かってスムーズに略９０°変えることができる。
【００２０】
また、第３の発明の水塗布装置によると、水補給板の縦板部に取り付けた複数の整流板は、水補給板による水補給時に水貯留容器内の水を水補給板の縦板部に沿いながら水塗布部材の上端部側に向かって導くことができる。この際、水補給板の縦板部に取り付けた複数の整流板を水塗布部材の後方パッド挟持板に所定の高さを有して接触させたときに、複数の整流板により整流板高さ分の隙間を保持し、この整流板高さ分の隙間内に補給水の容量を確保することで、水補給板の縦板部の上端部位まで水（補給水）を確実に上昇させることができる。
【００２１】
また、第４の発明の水塗布装置によると、水補給板による補給水を利用して、水補給板の横板部の下面に取り付けたワイパーで水塗布部材の上端部側の上端面をクリーニングできる。これにより、水塗布部材の上端部側の上端面に付着する再湿糊や紙紛などを除去し、良好な水塗布動作を行うことができる。更に、ワイパーは、補給水の水流を制御することで、水塗布装置へのしぶき飛散も防止できる。
【図面の簡単な説明】
【００２２】
【図１】（ａ），（ｂ）は本発明に係る水塗布装置に使用される封筒用紙を封筒状に折り畳む状態を示した斜視図である。
【図２】本発明に係る水塗布装置が適用される封筒作成システムを説明するための全体構成図である。
【図３】本発明の第１実施形態に係る水塗布装置を拡大して示し、且つ、回動可能な可動ガイド部材が用紙受け入れ位置に至り、且つ、水塗布パッドが水塗布待機状態を示した側面図である。
【図４】本発明の第１実施形態に係る水塗布装置を拡大して示し、且つ、回動可能な可動ガイド部材が水塗布位置に至り、且つ、水塗布パッドが水塗布状態を示した側面図である。
【図５】本発明の第１実施形態に係る水塗布装置を拡大して示し、且つ、回動可能な可動ガイド部材が用紙受け入れ位置に至り、且つ、水塗布パッドが水補給待機状態を示した側面図である。
【図６】（ａ）〜（ｃ）は第１実施形態において、水貯留容器内に設けた水塗布パッド及び水補給板を拡大して示した斜視図である。
【図７】本発明の第１実施形態に係る水塗布装置において、水塗布パッドの近傍を組み立てた状態を示した斜視図である。
【図８】本発明の第１実施形態に係る水塗布装置を示した上面図である。
【図９】（ａ）〜（ｄ）は本発明の第１実施形態に係る水塗布装置において、水塗布パッドによる封筒用紙の再湿糊部への水塗布動作を動作順に模式的に示した動作図である。
【図１０】（ａ），（ｂ）は本発明の第１実施形態に係る水塗布装置において、水補給部の水補給板による水塗布パッドの上端部側への水補給動作を動作順に模式的に示した動作図である。
【図１１】本発明の第２実施形態に係る水塗布装置を示した斜視図である。
【図１２】（ａ），（ｂ）は本発明の第２実施形態に係る水塗布装置において、水補給板による水塗布パッドの上端部側への水補給動作を動作順に模式的に示した動作図である。
【発明を実施するための形態】
【００２３】
以下に本発明に係る水塗布装置の一実施形態について、項目順に詳細に説明する。
【００２４】
［封筒用紙］
本発明に係る水塗布装置を説明する前に、この水塗布装置に使用される封筒用紙について、図１（ａ），（ｂ）を用いて先に説明する。
【００２５】
図１（ａ），（ｂ）は本発明に係る水塗布装置に使用される封筒用紙を封筒状に折り畳む状態を斜視的に示している。
【００２６】
まず、図１（ａ）に示す如く、本発明に係る水塗布装置に使用される用紙の一例となる封筒用紙１は、封筒上紙片２と封筒中紙片３と封筒下紙片４とが連接されており、封筒上紙片２と封筒中紙片３と封筒下紙片４とを折り線５Ａ，５Ｂを介して封筒状に三つ折りして、図１（ｂ）に示す如く、封筒９を形成し、この封筒９を接着により封緘できるようになっている。
【００２７】
この際、封筒用紙１の搬送方向を用紙搬送方向と記載し、この用紙搬送方向と直交する方向を用紙幅方向と記載する。
【００２８】
そして、封筒上紙片２は、表面に宛て名が印刷されるようになっており、且つ、前端部２ａ側で左右の側部２ｂ，２ｃ間に開封用ミシン目２ｄが帯状に形成され、更に、裏面の左右の側部２ｂ，２ｃに感圧接着剤６が所定の間隔を隔ててそれぞれ帯状に設けられている。
【００２９】
また、封筒中紙片３は、表面に差し出し名が印刷されるようになっており、且つ、裏面に印刷済みの内容物７を必要に応じて添付するか、又は、裏面に情報を直接印刷可能になっていると共に、裏面の左右の側部３ａ，３ｂに感圧接着剤６が所定の間隔を隔ててそれぞれ帯状に設けられている。
【００３０】
また、封筒下紙片４は、折り線５Ｂの近傍の表面上に設定した所定の接着位置に再湿糊部８が用紙幅方向に沿って帯状に予め貼着されており、且つ、表面及び裏面の左右の側部４ａ，４ｂに感圧接着剤６が所定の間隔を隔ててそれぞれ帯状に設けられている。
【００３１】
この際、各紙片２〜４の左右の側部に設けた感圧接着剤６は、天然ゴムなどの接着材料を用いており、三つ折りに折り畳んだ際に互いに対向する感圧接着剤６同士を密着させて後述する封筒圧着ローラ対１１１（図２）により所定の圧力を加えることで接着可能になっている。
【００３２】
一方、再湿糊部８は、アラビア糊などの接着材料を用いている。そして、封筒用紙１を搬送する途中で、この封筒用紙１の封筒下紙片４の表面上に設定した所定の接着位置に予め貼着された再湿糊部８に対して後述する水塗布装置５５（図２〜図５）により水６０（図２〜図５）で濡らすことで、封筒下紙片４の表面に封筒上紙片２の裏面が接着可能になっているので、これにより封筒用紙１上の再湿糊部８を封緘することができる。
【００３３】
この際、上記した再湿糊部８の外形サイズは、用紙搬送方向の幅寸法がＸｍｍと短く設定され、且つ、用紙搬送方向と直交する用紙幅方向に沿った長さ寸法がＹｍｍと長く設定されている。
【００３４】
そして、封筒用紙１及び内容物７に対してそれぞれ印刷が終了した後に、図１（ａ）に示した如く、封筒中紙片３の裏面に内容物７を必要に応じて載置して、封筒下紙片４を内容物７に向けて折り畳み、この後、本発明に係る水塗布装置５５により再湿糊部８に水６０を塗布して、図１（ｂ）に示した如く、封筒上紙片２を封筒下紙片４に向けて折り畳むと、封筒用紙１が封筒状に三つ折りされて封筒９が形成されるので、この封筒９を自動的に封緘している。
【００３５】
［封筒作成システム］
次に、本発明に係る水塗布装置が適用される封筒作成システムについて、図２を用いて説明する。
【００３６】
図２は本発明に係る水塗布装置が適用される封筒作成システムの全体構成を示している。尚、以下では、図１（ａ），（ｂ）に示した封筒用紙１の各構成部材に対して符号番号のみを記載し、図示を省略して説明する。
【００３７】
図２に示す如く、本発明に係る水塗布装置が適用される封筒作成システム１０は、封筒用紙１と内容物７とを選択的に印刷する印刷装置２０と、印刷済みの封筒用紙１を封筒状に折り畳んで印刷済みの内容物７を必要に応じて封入した後に封筒上紙片２と封筒下紙片４とを接着して封緘する封緘装置３０とで構成されている。
【００３８】
上記した印刷装置２０は、印刷動作及び封緘動作に伴う各種の操作を入力する操作パネル部２１と、封筒用紙１を一枚ずつ給紙する封筒用紙給紙部２２と、封筒用紙１に内容物７を必要に応じて添付する場合に内容物用紙７ａを一枚ずつ給紙する内容物用紙給紙部２３と、封筒用紙１と内容物用紙７ａとに画像や文字を選択的に印刷する印刷部２４と、印刷装置２０内の各部を全体的に制御する制御部２５とを備えている。
【００３９】
この際、印刷部２４は、インクジェット印刷方式，孔版印刷方式，レーザ印刷方式，熱転写印刷方式などに応じた構造形態で構成されている。そして、印刷装置２０内で封筒用紙給紙部２２から搬送された封筒用紙１と、内容物用紙給紙部２３から搬送された内容物用紙７ａとを交互に印刷する際に片面印刷又は両面印刷ができるようになっている。
【００４０】
また、上記した封緘装置３０は、印刷装置２０内の印刷部２４で印刷された印刷済みの封筒用紙１を三つ折りして封筒状に折り畳むと共に、印刷部２４で必要に応じて印刷された印刷済みの内容物７を、折り畳んだ封筒用紙１内に封入する封筒用紙折り畳み部兼内容物封入部４０を備えている。
【００４１】
また、封緘装置３０は、印刷部２４で必要に応じて印刷された印刷済みの内容物７を折り畳む内容物折り畳み部５０と、折り畳まない内容物７又は折り畳まれた内容物７を一時的に待機させる内容物待機部５１と、を備えている。
【００４２】
また、封緘装置３０は、封筒状に折り畳んだ封筒用紙１の封筒下紙片４の表面上の所定の接着位置に予め貼着された再湿糊部８に水貯留容器５９内に貯留した水６０を水塗布部材６１により自動的に塗布する水塗布装置（水塗布部）５５と、水塗布部材６１の上端部側に水貯留容器５９内の水６０を迅速に補給して湿らす水補給部７０と、を備えている。
【００４３】
この際、水塗布装置５５内に設けた水塗布部材６１は、スポンジなどにより形成した水塗布パッドを用いており、以下、水塗布部材を水塗布パッド６１と呼称して説明する。
【００４４】
また、封緘装置３０は、折り畳まれた封筒９の左右の側部に設けた感圧接着剤６同士を圧着させると共に封筒９を自動的に封緘する圧着部１１０と、水塗布装置５５と圧着部１１０とにより完成した封筒９を排紙する排紙部１２０とを備えている。
【００４５】
また、封緘装置３０は、この封緘装置３０内の各部を全体的に制御する制御部１３０と、封筒用紙１のフォーム情報に基づいて設定された封筒用紙１の搬送方向に対する所定の接着位置（再湿糊部８）の位置情報などが予め記憶されている記憶部１４０とを備えている。
【００４６】
この際、印刷装置２０内の制御部２５と、封緘装置３０内の制御部１３０とは、各種の制御信号などを双方向に授受しているが、封緘装置３０内の制御部１３０を印刷装置２０内の制御部２５内に盛り込むことも可能である。
【００４７】
ここで、封緘装置３０内に設けた封筒用紙折り畳み部兼内容物封入部４０によって、封筒用紙１内に印刷済みの内容物７を封入して、この封筒用紙１を封筒状に折り畳んだ後に封筒９を封緘する場合について説明する。
【００４８】
上記した封筒用紙折り畳み部兼内容物封入部４０は、封筒用紙供給用搬送路ＦＩＲと、封筒排出用搬送路ＦＯＲとの間に略沿って設けられており、封筒用紙１を三つ折りして封筒状に折り畳み且つ必要に応じて内容物７を封入するための機能を備えている。
【００４９】
この封筒用紙折り畳み部兼内容物封入部４０では、第１ギアードモータ４１の駆動力によって反時計方向に回転自在な主折リローラ４２と、主折リローラ４２の左側でこの主折リローラ４２に従動するシート搬送ローラ４３と、主折リローラ４２及びシート搬送ローラ４３の下方に固定設置された第１用紙突き当て板４４と、主折リローラ４２の下方でこの主折リローラ４２に従動する第１副折りローラ４５と、第１副折りローラ４５よりも下流に設置された用紙検出センサ４６と、主折リローラ４２の右方で主折リローラ４２に従動する第２副折りローラ４７とで構成されている。
【００５０】
上記のように封筒用紙折り畳み部兼内容物封入部４０を構成したときに、印刷済みの封筒用紙１の搬送方向の先端部側となる封筒下紙片４を先頭にしてこの封筒用紙１が封筒用紙供給用搬送路ＦＩＲに沿いながら主折リローラ４２とシート搬送ローラ４３との間に送り込まれる。
【００５１】
そして、封筒用紙１の先端部が「イ」に示した軌跡を取りながら第１用紙突き当て板４４に突き当って、この第１用紙突き当て板４４の一端部に設けた曲げ片４４ａ内に進入する。
【００５２】
この後、封筒用紙１が主折リローラ４２とシート搬送ローラ４３とで更に送り込まれるために、封筒用紙１の先端部が第１用紙突き当て板４４の曲げ片４４ａ内に突き当たったまま、封筒用紙１は第１用紙突き当て板４４の内側に沿うように「ロ」に示した軌跡を取る。
【００５３】
更に封筒用紙１が第１用紙突き当て板４４側に送り込まれると、封筒用紙１の途中で「ハ」に示したような膨らみが生じ、この膨らみ部分が主折リローラ４２と第１副折りローラ４５との間に吸い込まれて、主折リローラ４２と第１副折りローラ４５との間を通過するときに「折り１」が形成される。
【００５４】
一方、内容物待機部５１で待機している印刷済みの内容物７は、内容物供給用搬送路ＮＩＲに沿いながら主折リローラ４２と第１副折りローラ４５とにより「折り１」が形成される中に封入される。
【００５５】
そして、印刷済みの内容物７が「折り１」の中に封入された段階では、封筒用紙１の封筒下紙片４の表面側が後述する水塗布装置５５内の水塗布パッド６１と対向するように折り畳まれている。
【００５６】
この後、折り畳まれた封筒下紙片４を先頭にして封筒用紙１が主折リローラ４２と第１副折りローラ４５とにより折り畳み用搬送路ＦＴＲに沿って「ニ」に示した軌跡を取りながら搬送されて、折り畳まれた封筒下紙片４の先頭部が用紙検出センサ４６で検出されたときに、制御部１３０を介して所定のタイミングが経過した後に、封筒下紙片４の先頭部が水塗布装置５５内に設けた第２用紙突き当て板１０３に突き当たる。
【００５７】
そして、後述するように、封筒下紙片４の先頭部が第２用紙突き当て板１０３に突き当たって封筒用紙１の再湿糊部８が水塗布パッド６１と対向したときに、この再湿糊部８に水貯留容器５９内に貯留した水６０を水塗布パッド６１により自動的に塗布している。
【００５８】
この後、封筒下紙片４の先頭部が第２用紙突き当て板１０３に突き当たったまま、封筒用紙１は「ホ」に示した軌跡を取り、更に封筒用紙１が送り込まれると、封筒用紙１の途中で「へ」に示したような膨らみが生じ、この膨らみ部分が主折リローラ４２と第２副折りローラ４７との間に吸い込まれて、主折リローラ４２と第２副折りローラ４７との間を通過するときに「折り２」が形成されることで、封筒用紙１の封筒上紙片２の裏面が封筒下紙片４の表面と対向するように封筒状に折り畳まれて封筒９が形成される。
【００５９】
そして、折り畳まれた封筒９を圧着部１１０に送って、圧着部１１０内の封筒圧着ローラ対１１１により封筒９の左右の側部に設けた感圧接着剤６同士を圧着させると共に、この圧着動作に伴って封筒用紙１の封筒上紙片２の裏面が封筒下紙片４の表面に確実に接着されて自動的に封緘される。
【００６０】
この後、水塗布装置５５と圧着部１１０とにより完成した封筒９を排紙部１２０へ排紙している。
【００６１】
［第１実施形態の水塗布装置］
ここで、本発明の第１実施形態に係る水塗布装置５５の構成について、図３〜図８を用いて説明する。
【００６２】
図３〜図５は本発明の第１実施形態に係る水塗布装置を拡大して示し、且つ、回動可能な可動ガイド部材と、水塗布パッドの各状態を示している。また、図６（ａ）〜（ｃ）は第１実施形態において、水貯留容器内に設けた水塗布パッド及び水補給板を拡大して斜視的に示している。また、図７は本発明の第１実施形態に係る水塗布装置において、水塗布パッドの近傍を組み立てた状態を示している。また、図８は本発明の第１実施形態に係る水塗布装置を上面側から見て示している。
【００６３】
図３〜図５に拡大して示す如く、本発明の第１実施形態に係る水塗布装置（水塗布部）５５は、底板５６と、底板５６に対して垂直に設けられ且つ封筒用紙１の搬送方向と直交する用紙幅方向の左右にこの封筒用紙１の幅寸法よりも大きく間隔を隔てて互いに対向した左右一対の側板（５７Ｌ），５７Ｒとの間に設置されている。
【００６４】
上記した水塗布装置５５では、底板５６上に容器保持部材５８が垂直に固定設置されており、且つ、容器保持部材５８の上方部位に水貯留容器５９が着脱可能に搭載されて、この水貯留容器５９内に水６０が貯留されている。
【００６５】
また、水貯留容器５９内には、水塗布部材の一例として水塗布パッド６１が封筒用紙１の搬送方向と直交する用紙幅方向に沿いながら水６０に浸漬された状態で上下動可能に設けられている。そして、水塗布パッド６１は、水６０内から露出した上方の上端部６１ａ側の上端面が封筒用紙１の再湿糊部８への水塗布部位になっており、且つ、上端部６１ａ側とは反対の下端部６１ｂ側が水６０内に浸漬する部位になっている。
【００６６】
また、水貯留容器５９に貯留した水６０内には、水塗布パッド６１に接近して水補給部７０の水補給板７１がシャフト７２を中心にして回動可能に設けられている。
【００６７】
具体的には、図６（ａ）に拡大して示す如く、水塗布パッド（水塗布部材）６１は、気孔径がφＤで連続多孔質構造に形成されたスポンジを用いている。これにより、水貯留容器５９内の水６０を水塗布パッド６１の下端部６１ｂ側で毛細管現象により吸い上げて、この水６０がスポンジ内に伝達されて水面から露出した上端部６１ａ側の上端面を用紙搬送途中の封筒用紙１の再湿糊部８に接触させることで、再湿糊部８に水６０を塗布できるようになっている。尚、水塗布パッド６１は、スポンジ以外で不織布などを用いても良い。
【００６８】
また、水塗布パッド６１の上端部６１ａの外形サイズは、先に図１を用いて説明した封筒用紙１の再湿糊部８の外形サイズと対応して用紙搬送方向の幅寸法がＸｍｍと短く形成され、且つ、用紙幅方向に沿った長さ寸法がＹｍｍと長尺に形成されている。
【００６９】
また、水塗布パッド６１の上端部６１ａ側には、複数の凹状切り欠き部６１ａ１が用紙幅方向に所定の間隔を隔て、且つ、用紙搬送方向に沿って幅狭く凹状に切り欠き形成されており、これらの複数の凹状切り欠き部６１ａ１内に後述する複数の可動ガイド部材８３（図３〜図５，図７，図９）が進退自在になっている。
【００７０】
また、封筒用紙１が水塗布パッド６１に進入する側を前方側と設定したときに、水塗布パッド６１は、上端部６１ａ側に形成した複数の凹状切り欠き部６１ａ１よりも下方の一部が前方パッド挟持板６２と後方パッド挟持板６３との間で複数のネジ６４により締結されている。
【００７１】
そして、前方パッド挟持板６２と後方パッド挟持板６３とにより、水塗布パッド６１の上端部６１ａ側を挟み込んで保持することにより、柔軟性を有するスポンジを用いた水塗布パッド６１の上端部６１ａ側に剛性を持たすことが可能になり、これにより水塗布パッド６１の上端部６１ａが封筒用紙１の再湿糊部８に対して位置ズレすることがない。
【００７２】
この際、水塗布パッド６１の上下の端面は、前方パッド挟持板６２及び後方パッド挟持板６３から露出している。
【００７３】
また、前方パッド挟持板６２は、用紙幅方向の左右の端部６２ａ，６２ｂが水貯留容器５９内で互いに間隔を離して対向する左右一対の内壁面５９ａ，５９ｂに形成した左右一対のガイド溝５９ａ１，（５９ｂ１…図示せず）内に上下動可能に嵌合している。
【００７４】
また、前方パッド挟持板６２の左端部６２ａ側の上方部位６２ｃは、水貯留容器５９内から出て外部に向かって延出されており、且つ、この上方部位６２ｃの端部側にパッド上下動手段６５の一部を構成するラック６６が上下方向に沿って固着されている。
【００７５】
そして、ラック６６には、正逆転可能な第２ギアードモータ６７の軸に固着したギア６８が噛合しており、且つ、第２ギアードモータ６７は不図示の固定部材に固定されている。
【００７６】
上記から第２ギアードモータ６７を正転又は逆転させると、前方パッド挟持板６２が水貯留容器５９内に形成した左右一対のガイド溝５９ａ１，（５９ｂ１）に沿って上下動できるので、前方パッド挟持板６２及び後方パッド挟持板６３に挟持された水塗布パッド６１も上下動可能になっている。
【００７７】
従って、水塗布パッド６１は、パッド上下動手段６５により、図３及び図４に示したように水塗布時における上昇位置と、図５に示したように水補給時における下降位置との間で２態様の位置を選択的に取り得るようになっている。
【００７８】
更に、水貯留容器５９内には、本発明の要部を構成する水補給部７０が設けられている。この水補給部７０では、水補給板７１が板金材を用いて上下逆さまの略Ｌ字状に折り曲げ形成されている。
【００７９】
上記した水補給板７１は、水貯留容器５９内で水塗布パッド６１の用紙幅方向に沿った面と対向する平板状の縦板部７１ａの下端側が、下降位置に至っている水塗布パッド６１の下端部６１ｂ側に接近して回動可能に支持されている。
【００８０】
具体的に説明すると、水補給板７１は、この縦板部７１ａが水塗布パッド６１を挟持した後方パッド挟持板６３と対向して水塗布パッド６１の用紙幅方向及び高さ方向の各寸法と略同じ程度の外形サイズに形成されており、且つ、この縦板部７１ａの上端側を略９０°程度屈曲させて水流方向転換用凹部７１ｂを介して横板部７１ｃが水塗布パッド６１の上端部６１ａの上端面と対向できる外形サイズに形成されている。
【００８１】
この際、水補給板７１は、縦板部７１ａと横板部７１ｃとが交差する内側コーナー部位に水流方向転換用凹部７１ｂが略円弧凹状に形成されているので、後述するように、水流方向転換用凹部７１ｂは、水塗布パッド６１の上端部６１ａ側の上端面への水補給時に水補給板７１の縦板部７１ａに沿って上昇した水６０の向きを横板部７１ｃ側に向かってスムーズに略９０°変えることができるようになっている。
【００８２】
また、水補給板７１は、縦板部７１ａの用紙幅方向の左右端の下方部位に左右一対の軸支持片７１ｄ，７１ｅが用紙搬送方向の下流側に向かって突出形成されており、これら左右一対の軸支持片７１ｄ，７１ｅに形成した各軸孔内に長尺なシャフト７２が回動可能に軸着されている。
【００８３】
そして、シャフト７２の長手方向の両端部は、水貯留容器５９に貯留した水６０内を横切って水貯留容器５９で互いに間隔を離して対向する左右一対の内壁面５９ａ，５９ｂの各下方部位に不図示のネジなどを用いて固着されている。この際、水補給板７１がシャフト７２を介して軸支される位置は、図５に示したように、パッド上下動手段６５により下降位置に至った水塗布パッド６１と対向できる位置である。
【００８４】
また、水補給板７１の縦板部７１ａの右端側の上方部位に腕部７１ｆが折り曲げにより用紙搬送方向の下流側に向かって突出形成されており、この腕部７１ｆに水補給板回動手段７３が連結されている。
【００８５】
この際、水補給板回動手段７３としては、例えば、所定の角度範囲に亘って軸が回動するロータリーソレノイド７４が不図示の固定部材に取り付けられており、このロータリーソレノイド７４の軸にアーム７５の一端側が固着され、且つ、アーム７５の他端側がピン７６を介して水補給板７１に形成した腕部７１ｆに連結されている。
【００８６】
従って、水補給板回動手段７３のロータリーソレノイド７４を駆動することで、水補給板７１がシャフト７２を中心にして時計方向及び反時計方向に回動可能になっている。
【００８７】
尚、水補給板回動手段７３の駆動力として、ロータリーソレノイド７４に代えて正逆転可能なギアードモータ（図示せず）を用いることも可能である。
【００８８】
更に、水補給板７１の縦板部７１ａの下端部位には、ゴム材などを用いた水逆流防止弁７７が用紙幅方向に沿いながら水塗布パッド６１の下端部６１ｂ側に向かって取りけられている。この水逆流防止弁７７は、後述の動作で説明するように、水貯留容器５９内で水塗布パッド６１と水補給板７１の縦板部７１ａとの間に挟まれて保持された水６０が縦板部７１ａの下方に向かって流下するのを防止する機能を有している。
【００８９】
また、水補給板７１の縦板部７１ａのうちで水塗布パッド６１側の前面部位に複数の整流板７８が用紙幅方向に間隔を隔てて上下方向に沿ってリブ状に取り付けられている。これら複数の整流板７８は、水塗布パッド６１側に向かって所定の高さを持って形成されており、後述の動作で説明するように、水補給板７１による水補給時に水貯留容器５９内の水６０を水補給板７１の縦板部７１ａに沿いながら水塗布パッド６１の上端部６１ａ側に向かって導く機能を有している。
【００９０】
この際、複数の整流板７８は、水塗布パッド６１の上端部６１ａに形成した凹状切欠き部６１ａ１と対向しない位置にある第１整流板７８−１と、水塗布パッド６１の上端部６１ａに形成した凹状切欠き部６１ａ１と対向する位置にある第２整流板７８−２とに分けて水補給板７１の縦板部７１ａに取り付けられており、且つ、第１整流板７８−１と第２整流板７８−２とは上端部側の形状が異なっている。
【００９１】
即ち、上記した第１整流板７８−１は、下端部側から上端部側に向かって同じ幅寸法で細幅に形成されている。そして、第１整流板７８−１の上端部側は水塗布パッド６１の上端部６１ａに形成した凹状切欠き部６１ａ１と対向していないので、水６０は下端部側から上端部側に向かって直線的に導かれている。
【００９２】
一方、第２整流板７８−２は、下端部側が細幅に形成されているが、上端部側は下端部側がよりも太幅に形成されている。
【００９３】
具体的には、第２整流板７８−２の上端部側は、図６（ｂ）中のイ部拡大図に示したように上方に向かって両側の幅を逆台形状に徐々に広げて太幅な略矩形状の第１太幅部７８ａに形成するか、もしくは、図６（ｃ）中のロ部拡大図に示したように上方に向かって両側の幅を逆台形状に徐々に広げて太幅な略矩形状に形成し且つこの略矩形状の内部を中空状に肉抜きして両側を二股に分岐させた第２太幅部７８ｂに形成している。
【００９４】
上記から、第２整流板７８−２の上端部側を第１太幅部７８ａ又は第２太幅部７８ｂのいずれか一方の形状に形成することで、第１太幅部７８ａ又は第２太幅部７８ｂは、水塗布パッド６１の上端部６１ａに形成した凹状切欠き部６１ａ１と対向しているので、水６０は下端部側から幅広い上端部位で両側に分かれて曲線的に導かれるために、水６０が凹状切欠き部６１ａ１内に進入しないようになっている。
【００９５】
従って、第２整流板７８−２の上端部側に形成した第１太幅部７８ａ又は第２太幅部７８ｂが水塗布パッド６１の上端部６１ａに形成した凹状切欠き部６１ａ１を塞ぎ、第２整流板７８−２により上昇した水６０が水塗布パッド６１の頂部に至る前に漏れ出し、水量が減少するのを防止する。
【００９６】
また、水補給板７１の横板部７１ｃの下面にワイパー７９が用紙幅方向に沿いながら水塗布パッド６１の上端部６１ａ側に向かって下向きに取りけられている。このワイパー７９は、ゴムブレードやブラシなどを用いており、後述の動作で説明するように、水塗布パッド６１の上端部６１ａ側の上端面をクリーニングする機能を有している。
【００９７】
図３〜図５に戻り、左右一対の側板（５７Ｌ），５７Ｒの上方部位で封筒用紙１の搬送方向の上流側には、長尺なシャフト８１が封筒用紙１の幅方向に沿って左右一対の側板（５７Ｌ），５７Ｒ間に横架されている。
【００９８】
また、上記したシャフト８１には、板金材を用いて折り曲げ形成した可動ブラケット８２が上下方向に回動可能に軸支されている。
【００９９】
上記した可動ブラケット８２は、左右一対の側板（５７Ｌ），５７Ｒ間の内側で用紙幅方向の左右に一対の側板部（８２ａ），８２ｂが封筒用紙１の幅寸法より僅かに大きく間隔を隔てて互いに対向して下方に向って形成されており、且つ、一対の側板部（８２ａ），８２ｂの上方部位にシャフト８１が軸着されている。
【０１００】
また、可動ブラケット８２の上方部位には、複数の可動ガイド部材８３及び用紙押圧部材８４を固定するための固定部８２ｃが一対の側板部（８２ａ），８２ｂ間に一体的に横架されている。
【０１０１】
ここで、図７に示す如く、水塗布装置５５は、水塗布パッド６１がパッド上下動手段６５により水塗布時の上昇位置まで上動している状態で組み立てられており、且つ、水補給部７０の水補給板７１は水塗布パッド６１の上端部６１ａよりも下方で待機している。
【０１０２】
また、可動ブラケット８２の固定部８２ｃに固定される複数の可動ガイド部材８３は、封筒用紙１の表面側（下面側）が接しながらこの封筒用紙１に貼着された再湿糊部８を水塗布パッド６１に向けて搬送ガイドする機能を備えている。
【０１０３】
これら複数の可動ガイド部材８３は、樹脂材を用いて封筒用紙１の表面側を搬送ガイドする上面８３ａと、可動ブラケット８２の固定部８２ｃに固定される下面８３ｂとが共に平坦に形成され、且つ、用紙搬送方向に沿って長尺な長さに形成され、用紙幅方向が幅狭く形成されている。
【０１０４】
また、複数の可動ガイド部材８３は、可動ブラケット８２の固定部８２ｃ上で用紙幅方向に沿って所定の間隔を隔てて固定されていると共に、水塗布パッド６１の上端部６１ａ側を切り欠いた複数の凹状切り欠き部６１ａ１内に進退自在に臨んでいる。
【０１０５】
これにより、複数の可動ガイド部材８３は、水塗布パッド６１の上端部６１ａに対して直交し、水塗布パッド６１を挟んでこの水塗布パッド６１の上流側及び下流側にそれぞれ長さ持って延出されていると共に、水塗布パッド６１に干渉しないように用紙幅方向に間隔を隔てて設けられ、且つ、水塗布パッド６１よりも用紙搬送方向下流側においても前記間隔を維持して設けられている。
【０１０６】
そして、封筒用紙１の搬送時に複数の可動ガイド部材８３の上面８３ａのみに封筒用紙１の表面側が接するために、封筒用紙１上で複数の可動ガイド部材８３が接触する部分には水塗布パッド６１による水６０が塗布されないようになっている。
【０１０７】
また、可動ブラケット８２の固定部８２ｃに固定される用紙押圧部材８４は、水塗布時に封筒用紙１の再湿糊部８を水塗布パッド６１の上端部６１ａ側の上端面に押圧する機能を備えている。
【０１０８】
この用紙押圧部材８４は、板金材を用いて折り曲げ形成されており、可動ブラケット８２の固定部８２ｃに固定される左右の取付部８４ａ，８４ｂから一対の立ち上げ片８４ｃ，８４ｄが互いに間隔を離して対向して上方に向かって立ち上げられ、且つ、一対の立ち上げ片８４ｃ，８４ｄの各上端から連結片８４ｅが用紙幅方向に沿って連結され、更に、連結片８４ｅから複数の用紙押圧片８４ｆが用紙搬送方向の下流に向って「く字」状に屈曲して形成されている。
【０１０９】
この際、用紙押圧部材８４の連結片８４ｅは、可動ブラケット８２からこの上方に対向して設けた上側用紙搬送ガイド板９３の下板部９３ａに用紙幅方向に沿って形成された逃げ孔９３ａ１（図８のみ図示）内に臨んでいる。
【０１１０】
そして、水塗布パッド６１の近傍を組み立てたときに、水塗布パッド６１は、複数の可動ガイド部材８３の下面側で各可動ガイド部材８３と直交して用紙幅方向に沿って設置されている。
【０１１１】
また、水塗布パッド６１の上端部６１ａ側の上端面の上方に、用紙押圧部材８４に形成した複数の用紙押圧片８４ｆが水塗布パッド６１の上端面と平行に設置されている。
【０１１２】
再び図３〜図５に戻り、可動ブラケット８２に固定した可動ガイド部材８３よりも下流には、封筒用紙１の表面側（下面側）を搬送ガイドする下側用紙搬送ガイド板９２が可動ガイド部材８３と僅かな間隔を離して用紙搬送方向に沿って並設されている。
【０１１３】
上記した下側用紙搬送ガイド板９２は、板金材を用いて折り曲げ形成されており、封筒用紙１の表面側を搬送ガイドする上板部９２ａが平坦に形成され、且つ、上板部９２ａの用紙幅方向の左右端から一対の側板部（９２ｂ），９２ｃが互いに対向して下方に向って曲げ形成されて左右一対の側板（５７Ｌ），５７Ｒの各内面に取り付けられていると共に、上板部９２ａの用紙搬送方向の下流端に側板部９２ｄが下方に向って形成されている。
【０１１４】
また、封筒用紙１の裏面側（上面側）をガイドする上側用紙搬送ガイド板９３が可動ガイド部材８３及び下側用紙搬送ガイド板９２と対向して所定の間隔を隔てて用紙搬送方向に沿って長尺に固定設置されている。
【０１１５】
上記した上側用紙搬送ガイド板９３も、板金材を用いて折り曲げ形成されており、封筒用紙１の裏面側をガイドする下板部９３ａが平坦に形成され、且つ、下板部９３ａの用紙搬送方向の上流側に第１切り起こし片９３ｂと第２切り起こし片９３ｃ（図８のみ図示）が上方に向かって切り起こし形成されていると共に、下板部９３ａの用紙搬送方向の下流端に側板部９３ｄが上方に向って曲げ形成されている。
【０１１６】
また、可動ブラケット８２の一対の側板部（８２ａ），８２ｂのうちで右側の側板部８２ｂの内面の下方部位には、カムフォロア８５が軸８６に回転自在に軸支されている。
【０１１７】
また、左右一対の側板（５７Ｌ），５７Ｒのうちで、右側の側板５７Ｒの内面には、上記したカムフォロア８５に添接する扇形状の第２偏心カム８７が軸８８に回転自在に固着されている。
【０１１８】
上記した扇形状の第２偏心カム８７は、右側の側板５７Ｒの下方部位に取り付けた第３ギアードモータ８９の回転をタイミングベルトなどの伝達機構を介して伝達されることで回転可能になっている。この際、第３ギアードモータ８９は、一方向のみ回転させるか、又は、１８０°に亘って正逆転させるかのいずれでも良い。
尚、符番９０は、第３ギアードモータ８９の後端軸に取り付けた円板状のＦＧ板である。
【０１１９】
更に、第３ギアードモータ８９によって回転する第２偏心カム８７の軸８８には、不図示の遮蔽板が固着されており、この遮蔽板と対向してホームポジションセンサ９１が設置されている。このホームポジションセンサ９１により第２偏心カム８７の待機位置を検出している。
【０１２０】
そして、水塗布装置５５が待機状態の時には、図３に示したように、第２偏心カム８７の待機位置をホームポジションセンサ９１により検出しているので、第３ギアードモータ８９は回転を停止している。
【０１２１】
このときに、可動ブラケット８２と一体に可動ガイド部材８３がシャフト８１を中心にして予め反時計方向に回動しているので、可動ガイド部材８３が上側用紙搬送ガイド板９３と間隔を離して略平行な状態になっており、可動ガイド部材８３が用紙受け入れ位置に至っている。
【０１２２】
また、可動ガイド部材８３が用紙受け入れ位置に至っているときには、可動ブラケット８２と一体に用紙押圧部材８４もシャフト８１を中心にして予め反時計方向に回動しているので、この用紙押圧部材８４の用紙押圧片８４ｆが水塗布パッド６１の上端部６１ａ側の上端面から離間して上側用紙搬送ガイド板９３の下板部９３ａ側に退避している。
【０１２３】
一方、図４に示したように、第３ギアードモータ８９を作動させて、扇形状の第２偏心カム８７を待機位置から半回転させて水６０を塗布する水塗布時には、この第２偏心カム８７の外周面の扇形状に応じてカムフォロア８５を介して可動ブラケット８２と一体に可動ガイド部材８３がシャフト８１を中心にして時計方向に回動する。これにより、可動ガイド部材８３が斜め右下方に傾斜した状態となり、可動ガイド部材８３が水塗布位置に至る。
【０１２４】
また、可動ガイド部材８３が水塗布位置に至っているときには、可動ブラケット８２と一体に用紙押圧部材８４もシャフト８１を中心にして時計方向に回動しており、この用紙押圧部材８４の用紙押圧片８４ｆが封筒用紙１の再湿糊部８を水塗布パッド６１の上端部６１ａ側の上端面に押圧するので、水６０が塗布される。
【０１２５】
再び図３〜図５に示す如く、前述した上側用紙搬送ガイド板９３の用紙幅方向部位の略中央部位に形成した第１切り起こし片９３ｂと側板部９３ｄとの間に１本のリードスクリユー９４が回転自在に軸支されていると共に、第１切り起こし片９３ｂよりも奥方に形成した第２切り起こし片９３ｃ（図８のみ図示）と側板部９３ｄとの間に１本のガイドシャフト９５（図８のみ図示）が固定支持されている。
【０１２６】
また、リードスクリユー９４は、用紙搬送方向下流側の端部が上側用紙搬送ガイド板９３の側板部９３ｄの外側に延出されて、この延出部位にギア９６が固着されている。
【０１２７】
また、下側用紙搬送ガイド板９２の側板部９２ｄにモータブラケット９７が固着されており、このモータブラケット９７に第４モータ９８が取り付けられ、且つ、第４モータ９８の先端軸にギア９９が固着されている。
【０１２８】
また、第４モータ９８の軸に固着されたギア９９は、減速用ギア列１００を介して、リードスクリユー９４に固着させたギア９６に噛合している。
【０１２９】
また、１本のリードスクリユー９４にナット１０１が螺合し、且つ、このナット１０１にブラケット１０２が一体的に固着されていると共に、このブラケット１０２に形成した不図示のガイド片がガイドシャフト９５（図８のみ図示）に係合しているので、ナット１０１と一体にブラケット１０２が前後左右に傾くことなく、リードスクリユー９４に沿って矢印方向に移動可能になっている。
【０１３０】
更に、ブラケット１０２上には、封筒用紙１のうちで封筒状に折り畳まれた封筒下紙片４の先頭部を突き当てるための第２用紙突き当て板１０３が固着されており、この第２用紙突き当て板１０３はＬ字状に折り曲げられて下側用紙搬送ガイド板９２の平坦な上板部９２ａに向かって垂れ下がっている。
【０１３１】
従って、第２用紙突き当て板１０３もブラケット１０２と一体にリードスクリユー９４に沿って矢印方向に移動可能になっている。
【０１３２】
また、リードスクリユー９４の用紙搬送方向下流側の近傍に第２用紙突き当て板１０３の移動状況を検出するための位置センサ１０４が設置されており、制御部１３０（図２）を介して第２用紙突き当て板１０３がホームポジションに至っていることを位置センサ１０４で検出し、このホームポジションを基準にして第４モータ９８のパルス数を計数することで、第２用紙突き当て板１０３の移動位置を制御できるようになっている。
【０１３３】
この際、第２用紙突き当て板１０３は、制御部１３０を介して記憶部１４０（図２）に記憶された再湿糊部８の位置情報に関するフォーム情報を参照することで、封筒用紙１のうちで封筒状に折り畳まれた封筒下紙片４の搬送方向の先頭部が当接する位置まで移動して、この位置で停止している。
【０１３４】
上記から水塗布装置５５内には、封筒用紙１の表面側（下面側）が接触しながら封筒用紙１に貼着された再湿糊部８を水塗布パッド６１に向けて搬送ガイドする回動可能な可動ガイド部材（用紙搬送ガイド部材）８３と、可動ガイド部材８３の下流に並設された下側用紙搬送ガイド板９２と、封筒用紙１の裏面側（上面側）を搬送ガイドする上側用紙搬送ガイド板９３と、封筒用紙１の再湿糊部８に対して水塗布位置に至るように規制する第２用紙突き当て板１０３とで水塗布装置５５内の用紙搬送路が形成されている。
【０１３５】
［第１実施形態の水塗布装置の動作］
ここで、上記のように構成した第１実施形態の水塗布装置５５の動作について、水塗布パッド６１による封筒用紙１の再湿糊部８への水塗布動作と、水補給板７１による水塗布パッド６１の上端部６１ａ側への水補給動作とに分けて説明する。
【０１３６】
まず、図９（ａ）〜（ｄ）は本発明の第１実施形態に係る水塗布装置において、水塗布パッドによる封筒用紙の再湿糊部への水塗布動作を動作順に模式的に示している。
尚、図９（ａ）〜（ｄ）中では水塗布動作時に水補給動作を行わないので水補給部７０の水補給板７１の図示を省略しているが、この水補給板７１は可動ガイド部材８３の回動に支障のない位置に設けられている。
【０１３７】
図９（ａ）〜（ｄ）に示す如く、本発明の第１実施形態に係る水塗布装置５５において、水塗布パッド６１による封筒用紙１の再湿糊部８への水塗布動作を行う場合には、水塗布パッド６１がパッド上下動手段６５（図６）により上昇位置まで予め移動している。
【０１３８】
この際、水塗布パッド６１の上昇位置は、この上端部６１ａ側の上端面が用紙受け入れ位置に回動した複数の可動ガイド部材８３の裏面に接近する位置に設定されている。
【０１３９】
また、可動ブラケット８２に固定した可動ガイド部材８３及び用紙押圧部材８４が、シャフト８１（図３〜図５）を中心にして反時計方向及び時計方向に回動可能になっている。
【０１４０】
そして、制御部１３０（図２）の指令によって、先に図３〜図５を用いて説明したように、正逆転可能な第３ギアードモータ８９により扇形状の第２偏心カム８７を回転駆動させて、この第２偏心カム８７の回転位置に応じて可動ブラケット８２と一体に可動ガイド部材８３及び用紙押圧部材８４を水塗布時に下方に向けて回動するように制御している。
【０１４１】
具体的には、図９（ａ）は封筒用紙待機状態を示している。
【０１４２】
この封筒用紙待機状態では、可動ブラケット８２に固定した可動ガイド部材８３及び用紙押圧部材８４が、シャフト８１を中心にして上方に向かって回動し、この可動ガイド部材８３が上側用紙搬送ガイド板９３と間隔を離して略平行な状態に維持されると共に、用紙押圧部材８４の用紙押圧片８４ｆが水塗布パッド６１の上端部６１ａ側の上端面から離間して上側用紙搬送ガイド板９３の下板部９３ａ側に退避している。
【０１４３】
そして、可動ガイド部材８３と上側用紙搬送ガイド板９３との間に封筒用紙１が搬送されるのを待機している。
【０１４４】
また、スポンジを用いて気孔径がφＤに形成された水塗布パッド６１が、可動ガイド部材８３の下方で待機している。
【０１４５】
更に、第２用紙突き当て板１０３は、封筒用紙１のうちで封筒状に折り畳まれた封筒下紙片４の搬送方向の先頭部が当接したときに、再湿糊部８が水塗布パッド６１の上端面と対向できる位置まで移動して、この位置で停止している。
【０１４６】
図９（ｂ）は封筒用紙受け入れ状態を示している。
【０１４７】
この封筒用紙待機状態では、可動ガイド部材８３に固定した可動ガイド部材８３及び用紙押圧部材８４は、共に図９（ａ）に示した状態を維持しているが、封筒用紙１のうちで封筒状に折り畳まれた封筒下紙片４の先頭部が用紙検出センサ４６を通過して、この封筒下紙片４の先頭部が可動ガイド部材８３と上側用紙搬送ガイド板９３との間に搬送され、用紙検出センサ４６で封筒下紙片４の先頭部を検出してから所定のタイミングが経過した後に、この封筒下紙片４の先頭部が第２用紙突き当て板１０３に突き当たる。
【０１４８】
このときに、封筒下紙片４の表面上に予め貼着された再湿糊部８が、水塗布パッド６１の上端部６１ａ側の上端面と対向する水塗布位置に至るので、封筒用紙１の搬送を一時的に停止させる。
【０１４９】
図９（ｃ）は水塗布状態を示している。
【０１５０】
この水塗布状態では、用紙検出センサ４６で封筒下紙片４の先頭部を検出してから所定のタイミングが経過した後に、第３ギアードモータ８９により第２偏心カム８７を図４に示したように待機位置から半回転させると、可動ブラケット８２に固定した可動ガイド部材８３及び用紙押圧部材８４が、シャフト８１を中心にして下方に向かって回動し、この可動ガイド部材８３が水塗布パッド６１の上端部６１ａ側に形成した凹状切り欠き部６１ａ１内に進入する。これと同時に、用紙押圧部材８４の用紙押圧片８４ｆが上側用紙搬送ガイド板９３の下板部９３ａよりも下方に下がって、用紙押圧片８４ｆで封筒下紙片４上に予め貼着された再湿糊部８を押圧するので、この再湿糊部８に水塗布パッド６１の上端部６１ａ側の上端面が当接する。
【０１５１】
これにより、水貯留容器５９内の水６０が水塗布パッド６１で毛細管現象により吸い上げられて、水塗布パッド６１の上端部６１ａ側の上端面で気孔径φＤによる水滴が再湿糊部８に最適量だけ自動的に塗布されるので、良好な接着が可能になる。
【０１５２】
図９（ｄ）は水塗布完了状態を示している。
【０１５３】
この水塗布完了状態では、第３ギアードモータ８９により第２偏心カム８７を水塗布位置から反転させると、可動ブラケット８２に固定した可動ガイド部材８３及び用紙押圧部材８４が、シャフト８１を中心にして再び上方に向かって回動し、可動ガイド部材８３及び用紙押圧部材８４が図９（ａ）に示した封筒用紙待機位置まで戻るが、封筒用紙１は折り２が形成されるように封筒用紙受け入れ時とは反対方向に搬送される。
【０１５４】
上記した再湿糊部８への水塗布動作において、水塗布パッド６１からの水６０が複数の可動ガイド部材８３に付着せず、封筒用紙１に貼着された再湿糊部８が水塗布パッド６１と対向した水塗布位置に至ったときに再湿糊部８のみに水６０が塗布される。
【０１５５】
この結果、例えば、封筒用紙１上に印刷されたインクに対して水濡れによる用紙汚れが発生せず、また、水濡れによる用紙曲がりに伴って発生する用紙ジャムもなくなるので、品質及び信頼性の良い水塗布装置５５を提供することができる。
【０１５６】
次に、図１０（ａ），（ｂ）は本発明の第１実施形態に係る水塗布装置において、水補給部の水補給板による水塗布パッドの上端部側への水補給動作を動作順に模式的に示している。
【０１５７】
図１０（ａ），（ｂ）に示す如く、本発明の第１実施形態に係る水塗布装置５５において、水補給部７０の水補給板７１による水塗布パッド６１の上端部６１ａ側への水補給動作を行う場合に、水補給板７１は前述したように可動ガイド部材８３の回動に支障のない位置に設けられているために、水塗布パッド６１は水補給板７１と対向できるようにパッド上下動手段６５（図６）により下降位置まで予め移動している。
【０１５８】
この際、水塗布パッド６１の下降位置は、この上端部６１ａ側の上端面が水補給板７１の水流方向転換用凹部７１ｂ及び横板部７１ｃに対して僅かな隙間を隔てて対向できる位置に設定されている。
【０１５９】
また、水補給板７１の縦板部７１ａには、複数の整流板７８として、水塗布パッド６１の上端部６１ａに形成した凹状切欠き部６１ａ１と対向しない位置にある第１整流板７８−１と、水塗布パッド６１の上端部６１ａに形成した凹状切欠き部６１ａ１と対向する位置にある第２整流板７８−２とが取り付けられている。
【０１６０】
そして、制御部１３０（図２）の指令によって先に図６を用いて説明した水補給部７０内に設けた水補給板回動手段７３を動作させることで、水補給板７１がシャフト７２を中心にして時計方向及び反時計方向に回動可能になっている。
【０１６１】
ここで、先に「発明が解決しようとする課題」で述べたように、水塗布装置５５が長期間に亘って使用されない場合に、ユーザは水貯留容器５９内の水６０を抜いて、水塗布パッド６１を乾燥させておくことで、水質などの劣化防止や水塗布パッド６１への付着物防止を図っている。
【０１６２】
上記に対して、水塗布パッド６１が乾燥した状態から水塗布動作を迅速に再開する場合に、図１０（ａ）に示す如く、ユーザは水貯留容器５９内に水６０を指定液面高さＨまで貯留して、水補給部７０の水補給板７１を水補給待機状態にする。
【０１６３】
この際、水補給待機状態は、水補給板７１が水補給板回動手段７３を介してシャフト７２を中心にして時計方向に回動して、水補給板７１の水流方向転換用凹部７１ｂ及び横板部７１ｃが水塗布パッド６１の上端部６１ａ側の上端面に対向しないように離間して図示右方に退避している。
【０１６４】
このとき、水補給板７１の縦板部７１ａの下端部位に取り付けた水逆流防止弁７７が水塗布パッド６１の下端部６１ｂに当接している。この水逆流防止弁７７により、水塗布パッド６１に固着した後方パッド挟持板６３と、水補給板７１の縦板部７１ａとの間に挟まれた水６０は下方への流下が防止されて、挟まれた水６０は水塗布パッド６１への補給水となり、この補給水の容量は「Ｖ０」保持されている。
【０１６５】
上記のように、水貯留容器５９内に水６０が貯留されて、水補給板７１が水補給待機状態にあるときに、乾燥した水塗布パッド６１の下端部６１ｂ側からこの上端部６１ａ側に水６０が毛細管現象により吸い上げられるまでには時間を要するので、水塗布動作を迅速に再開するには水塗布パッド６１の上端部６１ａ側の上端面に水６０を先に補給する必要がある。
【０１６６】
そこで、図１０（ｂ）に示す如く、制御部１３０（図２）の指令によって水補給板回動手段７３のロータリーソレノイド７４（図６，図７）を速いスピードで往復動作させることで、水補給板７１がシャフト７２を中心にして時計方向及び反時計方向に速いスピードで回動（揺動）する。
【０１６７】
この際、水補給板７１を速いスピードで左右に揺動させて、水補給板７１の縦板部７１ａに所定の高さを有して取り付けた複数の整流板７８を水塗布パッド６１に固着した後方パッド挟持板６３に接離可能に複数回に亘って接触させる。
【０１６８】
これにより、水塗布パッド６１に固着した後方パッド挟持板６３と、水補給板７１の縦板部７１ａとの間に挟まれた水（補給水）６０は、水補給板７１の縦板部７１ａの下端部位に取り付けた水逆流防止弁７７の作用で下方への逃げ場を失い、この水（補給水）６０が複数の整流板７８に案内されながら水補給板７１の縦板部７１ａに沿って上昇する。
【０１６９】
この際、水補給板７１の動作時間は、０．３ｓｅｃ〜１．０ｓｅｃ程度が望ましい。水補給板７１の動作速度が遅いと、十分な水量が得られず、水６０の上昇不足が発生すると共に、水６０が水塗布パッド６１内に吸収されるので水補給板７１の縦板部７１ａに沿って上昇できにくくなる。
【０１７０】
一方、水補給板７１の動作速度が短すぎると、水補給板７１の動作負荷が大きくなると共に、上昇する水６０の流速が高まり、しぶきの発生により水塗布装置５５内を汚す懸念がある。
【０１７１】
また、水補給板７１の縦板部７１ａに取り付けた複数の整流板７８を水塗布パッド６１に固着した後方パッド挟持板６３に所定の高さを有して接触させたときに、後方パッド挟持板６３と水補給板７１の縦板部７１ａとの間に複数の整流板７８による整流板高さ分の隙間が得られ、この整流板高さ分の隙間内に保持される水（補給水）６０の容量は「Ｖ１」確保される。
【０１７２】
この際、水補給板待機時における補給水の容量「Ｖ０」と、水補給時における整流板高さ分の隙間内の補給水の容量「Ｖ１」とが、Ｖ０＞Ｖ１となるとき、水補給板７１の縦板部７１ａの上端部位まで水（補給水）６０を確実に上昇させることができる。
【０１７３】
一方、Ｖ０とＶ１との差が大きすぎると、過剰な水６０が噴き出し、水塗布装置５５内にしぶきがかかり、漏液、錆等のトラブルとなる。このため、Ｖ０／Ｖ１は１．０〜３．０、望ましくは１．２〜２．５程度必要となる
そして、水補給板７１の縦板部７１ａに取り付けた複数の整流板７８（７８−１，７８−２）に沿って上昇した水６０は、縦板部７１ａの上方部位に形成した水流方向転換用凹部７１ｂで略９０°方向を変えて、水塗布パッド６１の上端部６１ａ側の上端面と対向した横板部７１ｃに向かう。
【０１７４】
尚、水補給板７１の縦板部７１ａに取り付けた複数の整流板７８のうちで、水塗布パッド６１の上端部６１ａに形成した凹状切欠き部６１ａ１と対向する位置にある第２整流板７８−２によって導かれる水６０は、先に図６（ａ）〜（ｃ）を用いて説明したように、第２整流板７８−２の上端部側に形成した第１太幅部７８ａ又は第２太幅部７８ｂによって水塗布パッド６１の上端部６１ａに形成した凹状切欠き部６１ａ１内には進入しない。
【０１７５】
この後、水補給板７１の横板部７１ｃに向かった水６０は、水塗布パッド６１の上端部６１ａ側の上端面に水６０を迅速に補給すると共に、水補給板７１の横板部７１ｃの下面に取り付けたワイパー７９で水塗布パッド６１の上端部６１ａ側の上端面をクリーニングする。
【０１７６】
更に、水塗布パッド６１の上端部６１ａ側の上端面から溢れ出た余剰の水（補給水）６０は、水塗布パッド６１に固着した前方パッド挟持板６２側の側面を流下する。
【０１７７】
この際、水補給板７１による補給水を利用して、水塗布パッド６１の上端部６１ａ側の上端面をワイパー７９でワイプすることで、水塗布パッド６１の上端部６１ａ側の上端面に付着する再湿糊や紙紛などを除去し、良好な水塗布動作を行うことができる。更に、ワイパー７９は、補給水の水流を制御することで、水塗布装置５５へのしぶき飛散も防止できる。
【０１７８】
従って、水補給板７１を速いスピードで複数回繰り返し揺動させることで、水貯留容器５９内の水６０を水塗布パッド６１の上端部６１ａ側に毛細管現象で吸い上げるよりも迅速に補給できるので、例えば、乾燥した水塗布パッド６１を用いて水塗布動作を再開する場合でも、封筒用紙１の再湿糊部８に水６０を迅速に塗布することができる。
【０１７９】
上記から、本発明の要部を構成する水補給部７０は、水貯留容器５９内で水塗布パッド６１の用紙幅方向に沿った面と対向する縦板部７１ａの下端側が水塗布パッド６１の下端部６１ｂ側に接近して回動可能に支持され、且つ、水貯留容器５９内の水面から露出した縦板部７１ａの上端側を屈曲させて水塗布パッド６１の上端部６１ａ側の上端面と対向できる横板部７１ｃを形成した水補給板７１を備えている。
【０１８０】
また、水補給部７０は、水補給板７１の横板部７１ｃが水塗布パッド６１の上端部６１ａ側の上端面に対向しないように離間させた状態で水塗布パッド６１の下端部６１ｂ側と水補給板７１の縦板部７１ａ側との間に水６０を保持する第１の位置と、水補給板７１の横板部７１ｃを水塗布パッド６１の上端部６１ａ側の上端面に対向させて該上端面を覆って水塗布パッド６１の下端部６１ｂ側と水補給板７１の縦板部７１ａ側との間に保持した水６０を該上端面に補給する第２の位置との間で水補給板７１を回動させる水補給板回動手段７３を備えている。
【０１８１】
そして、上記構成による水補給部７０の第１の目的は、例えば、水塗布装置５５を長期間に亘って使用しない場合に、ユーザは水貯留容器５９内の水６０を抜いて水塗布パッド６１を乾燥させているが、乾燥した水塗布パッド６１で水塗布動作を迅速に再開させる際に、水補給板７１により水塗布パッド６１の上端部６１ａ側の上端面に水６０を毛細管現象で吸い上げるよりも迅速に補給できる。
【０１８２】
更に、水補給部７０の第２の目的は、水貯留容器５９内の水６０を抜く、抜かないに係わらず、水補給板７１による補給水を利用して、水補給板７１の横板部７１ｃの下面に取り付けたワイパー７９で水塗布パッド６１の上端部６１ａ側の上端面をクリーニングできる。
【０１８３】
尚、先に図６（ａ）〜（ｃ）及び図７を用いて説明した第１実施形態の水塗布装置５５を一部変形させた第１実施形態の変形例について以下簡略に述べる。
【０１８４】
この第１実施形態の変形例として、ここでの図示を省略するが、水塗布パッド６１の用紙幅方向の幅寸法よりも水補給板７１の用紙幅方向の幅寸法を幅広く形成した上で、水補給板７１に取り付けた複数の整流板７８（７８−１，７８−２）のうちで水補給板７１の用紙幅方向の左右端に取り付けた計２本の第１整流板７８−１を削除して、水補給板７１の用紙幅方向の左右端に左右一対の水横漏れ防止側板部を上方の水流方向転換用凹部７１ｂ及び横板部７１ｃに連接させながら下方に向かって形成している。
【０１８５】
これにより、水補給板７１の用紙幅方向の左右端に形成した左右一対の水横漏れ防止側板部で、水塗布パッド６１の上端部６１ａ側に向かって上昇した水６０が水補給板７１の用紙幅方向の左右端から左右外側に向かって漏れるのを防止できる。
【０１８６】
［第２実施形態の水塗装置］
図１１は本発明の第２実施形態に係る水塗布装置を斜視的に示している。また、図１２（ａ），（ｂ）は本発明の第２実施形態に係る水塗布装置において、水補給板による水塗布パッドの上端部側への水補給動作を動作順に模式的に示している。
尚、図１１及び図１２中で第１実施形態と形状が異なる構成部材の符号番号に対して第２実施形態では「’」を追加して付している。
【０１８７】
図１１に示した本発明の第２実施形態に係る水塗布装置５５’は、先に説明した本発明の第１実施形態に係る水塗布装置５５に対して簡素化を図って構成されており、ここでは第１実施形態に対して異なる点についてのみ以下説明する。
【０１８８】
まず、図１１に示す如く、第２実施形態の水塗布装置５５’では、水塗布パッド６１’の上端部６１ａ側には、用紙幅方向に沿って複数の凹状切り欠き部が形成されてなく、上端部６１ａ側の上端面は用紙幅方向に沿って長尺な平坦面に形成されている。
【０１８９】
上記に伴って、封筒用紙１に貼着された再湿糊部８を水塗布パッド６１’に向けて搬送ガイドするための可動ガイド部材（用紙搬送ガイド部材）８３の数量が第１実施形態に対して計２個に削減されている。
【０１９０】
そして、計２個の可動ガイド部材８３は、水塗布パッド６１’の用紙幅方向の各外側で、水塗布パッド６１’に対して干渉せずに直交して、可動ブラケット８２の固定部８２ｃ上の左右の端側に取り付けられている。
【０１９１】
また、水塗布パッド６１’は前方パッド挟持板６２’と後方パッド挟持板６３とで挟持されているが、前方パッド挟持板６２’の用紙幅方向の左右端に曲げ形成した左右一対の曲げ片６２ｄ，６２ｅが水貯留容器５９で互いに間隔を離して対向する左右一対の内壁面５９ａ，５９ｂに固定して取り付けられている。
【０１９２】
従って、水塗布パッド６１’の上端部６１ａ側の上端面は、用紙押圧部材８４’の用紙押圧片８４ｆの裏面よりも少し下方に固定設置されている。
【０１９３】
一方、水補給部７０の水補給板７１は、用紙幅方向のサイズが水塗布パッド６１’と略同じサイズに形成されている。従って、水補給板７１は、水塗布パッド６１’の用紙幅方向の各外側に設けた計２個の可動ガイド部材８３に干渉しないために、水補給板７１を第１実施形態の取り付け位置よりも上方の位置に設置することが可能となる。
【０１９４】
これに伴って、水塗布パッド６１’への水補給時に、水塗布パッド６１’を上方位置に設置した水補給板７１と対向できる位置に固定設置することが可能になる。
【０１９５】
更に、水補給板７１の縦板部７１ａに取り付けた複数の整流板７８は、水塗布パッド６１’の上端部６１ａに複数の凹状切り欠き部が形成されいないので、先に第１実施形態で説明したような下端部側から上端部側に向かって同じ幅寸法で細幅に形成された第１整流板７８−１を全て用いている。
【０１９６】
上記のように構成した第２実施形態の水塗布装置５５’では、第１実施形態とは異なって、可動ガイド部材８３が水塗布パッド６１’の用紙幅方向の各外側に計２個に削減されたことで、水塗布パッド６１’と用紙幅方向のサイズが略同等の水補給板７１を水塗布時の位置に設置でき、且つ、この水補給板７１と対向する水塗布パッド６１’を固定設置できるので、第２実施形態の水塗布装置５５’を第１実施形態よりも簡素化して安価に提供できる。
【０１９７】
次に、図１２（ａ），（ｂ）に示す如く、本発明の第２実施形態に係る水塗布装置５５’において、水補給部７０の水補給板７１による水塗布パッド６１’の上端部６１ａ側への水補給動作を行う場合に、水塗布パッド６１’は水補給板７１と対向できる位置に固定して取り付けられている点が第１実施形態に対して異なっている。
【０１９８】
従って、水塗布パッド６１’は、この上端部６１ａ側の上端面の位置が水塗布時及び水補給時共に同じ位置に設定されている。
【０１９９】
従って、第２実施形態において、水塗布パッド６１’による封筒用紙１の再湿糊部８への水塗布動作は、先に図９（ａ）〜（ｄ）を用いて説明した第１実施形態と全く同じであるので、ここでの説明を省略する。
【０２００】
一方、第２実施形態において、水補給部７０の水補給板７１による水塗布パッド６１’への水補給動作は、先に図１０（ａ），（ｂ）を用いて説明した第１実施形態と全く同じであるので、ここでの説明を省略する。
【０２０１】
尚、先に図１１を用いて説明した第２実施形態の水塗布装置５５’を一部変形させた第２実施形態の変形例について以下簡略に述べる。
【０２０２】
この第２実施形態の変形例として、ここでの図示を省略するが、水塗布パッド６１’の用紙幅方向の幅寸法よりも水補給板７１の用紙幅方向の幅寸法を幅広く形成した上で、水補給板７１に取り付けた複数の整流板７８（７８−１）のうちで水補給板７１の用紙幅方向の左右端に取り付けた計２本の第１整流板７８−１を削除して、水補給板７１の用紙幅方向の左右端に左右一対の水横漏れ防止側板部を上方の水流方向転換用凹部７１ｂ及び横板部７１ｃに連接させながら下方に向かって形成している。
【０２０３】
これにより、水補給板７１の用紙幅方向の左右端に形成した左右一対の水横漏れ防止側板部で、水塗布パッド６１の上端部６１ａ側に向かって上昇した水６０が水補給板７１の用紙幅方向の左右端から左右外側に向かって漏れるのを防止できる。
【符号の説明】
【０２０４】
１…用紙（封筒用紙）、
２…封筒上紙片、３…封筒中紙片、４…封筒下紙片、５Ａ，５Ｂ…折り線、
６…感圧接着剤、７…内容物、７ａ…内容物用紙、８…再湿糊部、９…封筒、
１０…封筒作成システム、
２０…印刷装置、２１…操作パネル部、２２…封筒用紙給紙部、
２３…内容物用紙給紙部、２４…印刷部、２５…制御部、
３０…封緘装置、
４０…封筒用紙折り畳み部兼内容物封入部、４１…第１ギアードモータ、
４２…主折リローラ、４３…シート搬送ローラ、４４…第１用紙突き当て板、
４５…第１副折りローラ、４６…用紙検出センサ、４７…第２副折りローラ、
５０…内容物折り畳み部、５１…内容物待機部、
５５…第１実施形態の水塗布装置、５５’…第２実施形態の水塗布装置、
５６…底板、（５７Ｌ），５７Ｒ…左右一対の側板、５８…容器保持部材、
５９…水貯留容器、５９ａ，５９ｂ…左右一対の内壁面、
５９ａ１，（５９ｂ１）…左右一対のガイド溝、６０…水、
６１，６１’…水塗布部材（水塗布パッド）、６１ａ…上端部、
６１ａ１…凹状切り欠き部、６１ｂ…下端部、
６２，６２’…前方パッド挟持板、６２ａ，６２ｂ…左右の端部、
６３…後方パッド挟持板、６４…ネジ、
６５…パッド上下動手段、６６…ラック、６７…第２ギアードモータ、６８…ギア、
７０…水補給部、
７１…水補給板、７１ａ…縦板部、７１ｂ…水流方向転換用凹部、７１ｃ…横板部、
７１ｄ，７１ｅ…左右一対の軸支持片、７１ｆ…腕部、７２…シャフト、
７３…水補給板回動手段、７４…ロータリーソレノイド、７５…アーム、７６…ピン、
７７…水逆流防止弁、７８…整流板、７８−１…第１整流板、
７８−２…第２整流板、７８ａ…第１太幅部、７８ｂ…第２太幅部、７９…ワイパー、
８１…シャフト、８２…可動ブラケット、（８２ａ），８２ｂ…一対の側板部、
８２ｃ…固定部、
８３…用紙搬送ガイド部材（可動ガイド部材）、８３ａ…上面、８３ｂ…下面、
８４，８４’…用紙押圧部材、８４ｆ…用紙押圧片、
８５…カムフォロア、８６…軸、８７…第２偏心カム、８８…軸、
８９…第３ギアードモータ、９０…ＦＧ板、９１…ホームポジションセンサ、
９２…下側用紙搬送ガイド板、９３…上側用紙搬送ガイド板、
９４…リードスクリユー、９５…ガイドシャフト、９６…ギア、
９７…モータブラケット、９８…第４モータ、９９…ギア、
１００…減速用ギア列、１０１…ナット、１０２…ブラケット、
１０３…第２用紙突き当て板、１０４…位置センサ、
１１０…圧着部、１１１…封筒圧着ローラ対、
１２０…排紙部、１３０…制御部、１４０…記憶部、
ＦＩＲ…封筒用紙供給用搬送路、ＦＯＲ…封筒排出用搬送路、
ＮＩＲ…内容物供給用搬送路、ＦＴＲ…折り畳み用搬送路。
【図１】
2018030658.tif 000003
【図２】
2018030658.tif 000004
【図３】
2018030658.tif 000005
【図４】
2018030658.tif 000006
【図５】
2018030658.tif 000007
【図６】
2018030658.tif 000008
【図７】
2018030658.tif 000009
【図８】
2018030658.tif 000010
【図９】
2018030658.tif 000011
【図１０】
2018030658.tif 000012
【図１１】
2018030658.tif 000013
【図１２】
2018030658.tif 000014